【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
表示装置と、少なくとも栽培日誌データベースと農薬商品データベースと資材管理データベースとを有するサーバと、前記表示装置と前記サーバとの間に接続される専用端末とで構成される商品購入システムであって、
前記サーバは、前記栽培日誌データベースに格納されるユーザが栽培する農作物の栽培日誌データの進捗情報に基づいて、当該農作物の対象作業時期に応じた農薬の農薬商品データを前記農薬商品データベースから取得し、
前記サーバはまた、前記資材管理データベースに前記農薬の少なくとも種別、商品名、容量を含む資材管理データが格納されていると判定した場合、当該資材管理データを取得し、
前記サーバはさらに、前記農薬商品データおよび前記資材管理データに基づいて商品情報を作成して、前記専用端末に送信し、
前記専用端末は、前記サーバから前記商品情報を受信すると、前記商品情報に基づいて商品選択画面を作成して前記表示装置に表示し、前記ユーザに対し前記商品情報の購入が可能に提供する
商品購入システム。
【請求項２】
表示装置と、少なくとも栽培日誌データベースと肥料商品データベースと資材管理データベースとを有するサーバと、前記表示装置と前記サーバとの間に接続される専用端末とで構成される商品購入システムであって、
前記サーバは、前記栽培日誌データベースに格納されるユーザが栽培する農作物の栽培日誌データの進捗情報に基づいて、当該農作物の対象作業時期に応じた肥料の肥料商品データを前記肥料商品データベースから取得し、
前記サーバはまた、前記資材管理データベースに前記肥料の少なくとも種別、商品名、容量を含む資材管理データが格納されていると判定した場合、当該資材管理データを取得し、
前記サーバはさらに、前記肥料商品データおよび前記資材管理データに基づいて商品情報を作成して前記専用端末に送信し、
前記専用端末は、前記サーバから前記商品情報を受信すると、前記商品情報に基づいて商品選択画面を作成して前記表示装置に表示し、前記ユーザに対し前記商品情報の購入が可能に提供する
商品購入システム。
【請求項３】
表示装置と、少なくとも栽培日誌データベースと農薬商品データベースと肥料商品データベースと資材管理データベースとを有するサーバと、前記表示装置と前記サーバとの間に接続される専用端末とで構成される商品購入システムであって、
前記サーバは、前記栽培日誌データベースに格納されるユーザが栽培する農作物の栽培日誌データの進捗情報に基づいて、当該農作物の対象作業時期に応じた農薬の農薬商品データを前記農薬商品データベースから取得すると共に、当該農作物の対象作業時期に応じた肥料の肥料商品データを前記肥料商品データベースから取得し、
前記サーバはまた、前記資材管理データベースに前記農薬および又は前記肥料の少なくとも種別、商品名、容量を含む資材管理データが格納されていると判定した場合、当該資材管理データを取得し、
前記サーバはさらに、前記農薬商品データ、前記肥料商品データおよび前記資材管理データに基づいて商品情報を作成して、前記専用端末に送信し、
前記専用端末は、前記サーバから前記商品情報を受信すると、前記商品情報に基づいて商品選択画面を作成して前記表示装置に表示し、前記ユーザに対し前記商品情報の購入が可能に提供する
商品購入システム。
【請求項４】
前記商品選択画面には、対象作業時期名が表示される作業時期表示領域と、選択対象商品に対応する１つ以上の商品選択ボタンが設けられている請求項１乃至請求項３のいずれか１項に記載の商品購入システム。
【請求項５】
前記商品選択ボタン上には、前記選択対象商品の種別を示すアイコンと、前記選択対象商品がお勧めであることを示すアイコン又は前記選択対象商品が過去に購入された商品であることを表すアイコンが表示される請求項４に記載の商品購入システム。
【請求項６】
前記表示端末から前記専用端末を介して前記農薬の散布および又は前記肥料の追肥を実施した実施日、商品名、使用量が入力された場合、前記サーバは前記栽培日誌データベースの前記栽培日誌データを更新すると共に、前記資材管理データベースの前記資材管理データに含まれる所持数を減算して更新する、請求項１乃至請求項３のいずれか１項に記載の商品購入システム。
【請求項７】
前記商品選択ボタン上には、前記選択対象商品の前記所持数が表示されると共に、前記所持数が予め定められた値を下回る場合には、前記所持数が不足していることを表示する、請求項４又は請求項６に記載の商品購入システム。
【請求項８】
前記商品選択画面には、お勧め商品である前記選択対象商品の前記商品選択ボタンが他の商品に比較して優先的に表示される、請求項４に記載の商品購入システム。
【請求項９】
サーバは、前記ユーザが所有する圃場の面積を示す圃場データを格納する圃場データベースを更に有し、
前記サーバは、前記商品選択画面から購入したい商品が選択されると前記圃場データベースから取得した前記圃場の面積と、前記農薬商品データベースと前記肥料商品データベースに格納される基準使用量に基づいて前記商品情報に示される前記商品の１回当たりの必要使用量を算出し、
前記サーバはまた、前記必要使用量と前記商品の１つ当たりの容量とに基づいて前記商品の必要数量を算出すると共に、当該必要数量を含むカート情報を作成し、
前記専用端末は、前記サーバから受信した前記カート情報に基づいてカート画面を作成して前記表示装置に表示し、前記ユーザに提供する
請求項１乃至請求項３のいずれか１項に記載の商品購入システム。
【請求項１０】
選択された前記商品の所持数とその必要数量とを比較し、前記所持数が前記必要数量を下回る場合にはその差分を前記カート画面の数量表示領域に表示する、請求項９に記載の商品購入システム。
【請求項１１】
表示装置と、少なくとも栽培日誌データベースと農薬商品データベースと肥料商品データベースと資材管理データベースとを有するサーバと、前記表示装置と前記サーバとの間に接続される専用端末とで構成される商品購入システムにて実行される方法であって、
前記サーバでは、前記栽培日誌データベースに格納されるユーザが栽培する農作物の栽培日誌データの進捗情報に基づいて、当該農作物の対象作業時期に応じた農薬の農薬商品データを前記農薬商品データベースから取得するか、又は当該農作物の対象作業時期に応じた肥料の肥料商品データを前記肥料商品データベースから取得し、
前記サーバではまた、前記資材管理データベースに前記農薬および又は前記肥料の少なくとも種別、商品名、容量を含む資材管理データが格納されていると判定した場合、当該資材管理データを取得し、
前記サーバではさらに、前記農薬商品データおよび又は前記肥料商品データ、および前記資材管理データに基づいて商品情報を作成して、前記専用端末に送信し、
前記専用端末では、前記サーバから前記商品情報を受信すると、前記商品情報に基づいて商品選択画面を作成して前記表示装置に表示し、前記ユーザに対し前記商品情報の購入が可能に提供する
方法。
【手続補正２】
【補正対象書類名】明細書
【補正対象項目名】０００７
【補正方法】変更
【補正の内容】
【０００７】
実施形態に係る商品購入システムは、表示装置と、少なくとも栽培日誌データベースと農薬商品データベースと資材管理データベースとを有するサーバと、前記表示装置と前記サーバとの間に接続される専用端末とで構成される。前記サーバは、前記栽培日誌データベースに格納されるユーザが栽培する農作物の栽培日誌データの進捗情報に基づいて、当該農作物の対象作業時期に応じた農薬の農薬商品データを前記農薬商品データベースから取得する。前記サーバはまた、前記資材管理データベースに前記農薬の少なくとも種別、商品名、容量を含む資材管理データが格納されていると判定した場合、当該資材管理データを取得する。前記サーバはさらに、前記農薬商品データおよび前記資材管理データに基づいて商品情報を作成して、前記専用端末に送信する。前記専用端末は、前記サーバから前記商品情報を受信すると、前記商品情報に基づいて商品選択画面を作成して前記表示装置に表示し、前記ユーザに対し前記商品情報の購入が可能に提供する。